(57)【特許請求の範囲】
【請求項１】
上方へ付勢させたステム１８を介してノズル付き押下げヘッド１２が装着されたエアゾール缶口頸部へ装着可能な周壁２を有し、該周壁に吐出窓口４とレバー変位用窓口５とを形成すると共に、周壁２上端部の一部からレバー２０をレバー変位用窓口５上方を通って外方へ延出させ、かつ該レバー先端部を下方へ折曲して力点部１６を形成し、該力点部を内方へ変位させることで、押下げヘッド１２を押下げ可能な作用点部２１を上記レバー２０に形成し、
上記レバー変位用窓口５の周囲外面に、レバー２０下面へ接触してレバーの変位を阻止するストッパ９を凹凸の係合手段を介して摺動自在に取り付けたことを特徴とするエアゾール缶スパウト。
【請求項２】
上記周壁２内面とレバー２０側面部とを凹凸の係合手段を介してレバーを案内可能に係合させると共に、周壁２内面に形成した上記係合手段としての凹部ないし凸部の上端部に、レバー側面部へ係合して周壁からのレバーの抜出しを阻止すると共に、強制抜け出しを許容する係合部を設けたことを特徴とする請求項１記載のエアゾール缶スパウト。
【請求項３】
上記レバーの力点部１６よりも上方のレバー部分に長孔２４を形成しておき、上記ノズル１９をレバー変位用窓口５を介して長孔２４へ摺動自在に挿通させたことを特徴とする請求項１又は２記載のエアゾール缶スパウト。
【請求項４】
上記エアゾール缶３を複数連結して、これらエアゾール缶へ共通のノズル付き押下げヘッド１２を装着させ、かつ上記作用点部２１を押下げヘッド１２の中央部上方に設けたことを特徴とする請求項１ないし３のいずれか１つに記載のエアゾール缶スパウト。
【発明の詳細な説明】
【０００１】
【発明の属する技術分野】
本発明はエアゾール式噴霧器のエアゾール缶の口頸部に取り付ける吐出用のスパウトに関する。
【０００２】
【従来の技術】
例えば実開昭６３−２０９６８号公報に記載されているように、エアゾール缶胴部の頂壁を貫通して上方付勢状態で起立する噴出用ステムへ嵌合させたノズル付き押下げヘッドの押し下げにより、ノズルから霧状物等を噴出可能に設けたエアゾール式噴霧器が知られている。
また、例えば特開平１１−２７８５５４号公報には、図７に示すように左右一対のエアゾール缶ａ、ａを一体的に連結し、両エアゾール缶胴部の頂壁を貫通して上方付勢状態で起立するステムｂへ共通のノズル付き押下げヘッドｃを嵌合させた２連型のエアゾール式噴霧器が記載されている。
【０００３】
【発明が解決しようとする課題】
上記従来のエアゾール式噴霧器では、ノズル付き押下げヘッドを直接押し下げて噴霧させるため噴霧操作が重く、そのため特に２つのエアゾール缶を連結した２連型のエアゾール式噴霧器では操作力の軽減が望まれていた。
【０００４】
本発明は、上記問題点に鑑みてなされたもので、噴霧操作力の軽減と誤操作等による噴霧を防止すると共に、トリガー操作をも可能とするエアゾール缶スパウトを提供することを目的とする。
【０００５】
【課題を解決するための手段】
第１の手段として、上方へ付勢させたステム１８を介してノズル付き押下げヘッド１２が装着されたエアゾール缶口頸部へ装着可能な周壁２を有し、該周壁に吐出窓口４とレバー変位用窓口５とを形成すると共に、周壁２上端部の一部からレバー２０をレバー変位用窓口５上方を通って外方へ延出させ、かつ該レバー先端部を下方へ折曲して力点部１６を形成し、該力点部を内方へ変位させることで、押下げヘッド１２を押下げ可能な作用点部２１を上記レバー２０に形成し、
上記レバー変位用窓口５の周囲外面に、レバー２０下面へ接触してレバーの変位を阻止するストッパ９を凹凸の係合手段を介して摺動自在に取り付けた。
【０００６】
第２の手段として、上記周壁２内面とレバー２０側面部とを凹凸の係合手段を介してレバーを案内可能に係合させると共に、周壁２内面に形成した上記係合手段としての凹部ないし凸部の上端部に、レバー側面部へ係合して周壁からのレバーの抜出しを阻止すると共に、強制抜け出しを許容する係合部を設けた。
【０００７】
第３の手段として、上記レバーの力点部１６よりも上方のレバー部分に長孔２４を形成しておき、上記ノズル１９をレバー変位用窓口５を介して長孔２４へ摺動自在に挿通させた。
【０００８】
第４の手段として、上記エアゾール缶３を複数連結して、これらエアゾール缶へ共通のノズル付き押下げヘッド１２を装着させ、かつ上記作用点部２１を押下げヘッド１２の中央部上方に設けた。
【００１０】
【発明の実施の形態】
図面は本発明を２連式のエアゾール缶に適用した例を示す。２連式のエアゾール缶とは、一対のエアゾール缶をこれらの軸線を平行にして胴部を接触させた状態で一体に連結し、かつ各胴部の頂壁を貫通して上方付勢状態で起立する両ステムに共通のノズル付き押下げヘッドを嵌合させたものである。
【００１１】
図１は２連式のエアゾール缶に取り付けたスパウト１を断面にして示す。なお、以下において説明の便宜上図１の左側を前方と、かつ右側を後方と定める。スパウト１は内外２重壁からなる横断面楕円形状の周壁２の内周壁下部を切除して、外周壁下端部を左右一対のエアゾール缶３の口頸部へ嵌着させている。
【００１２】
一方、周壁２の前半部中央に切欠部からなる吐出窓口４を形成する。その際、該切欠部前面の左右両部に外周壁の一部が残るようにして、これら左右の外周壁をレバー連結用の壁部６に形成する。また、周壁後半部中央にも同様にレバー変位用窓口５としての切欠部を形成する。さらに図４に明示するように周壁２の左右両部内面に上面閉塞の縦溝７を縦設する。
【００１３】
一方、図４にも示すようにレバー変位用窓口５よりも下方の周壁２部分外面に、ストッパ係合用の縦断面Ｔ字状の係合板８を付設する。ストッパ９は縦断面矩形状の本体に前面および左右両面開口の縦断面Ｔ字状の係合用溝１０を形成し、該係合用溝を係合板８へ摺動自在に嵌合させ、さらに矩形状本体の前端部上面から起立壁１１を起立する。
【００１４】
ノズル付き押下げヘッド１２は、底壁１３外周から垂下壁１４を垂下する本体部と、垂下壁１４へ着脱自在に嵌合させた蓋体１５とからなり、図４に明示するように蓋体の後壁下端を垂下壁１４下端へ薄肉ヒンジ１５ａを介して連結している。また、底壁１３から左右一対の嵌合筒１７を垂設して一対のエアゾール缶の各ステム１８へ嵌合させている。さらに、蓋体１５の前面からノズル１９を突設して吐出窓口４から前方へ突出させている。
【００１５】
２０はレバーで、薄肉ヒンジ１４ａを介して壁部６上端からレバー前半部を周壁２内へ上下動自在に嵌合させて後方ヘ延出し、かつレバー後半部を斜め下後方へ折曲して力点部１６を形成する。また、周壁２内へ嵌合させたレバー前半部下面から逆三角形状の突部からなる作用点部２１を垂下すると共に、レバー中間部下面からブラッケットを介して変位阻止板２２を垂下してストッパ９本体上面へ係合させる。さらに、レバー前半部の左右両側下面からは縦溝７へ上下動自在に嵌合させて弾性変形自在な案内突部２３を突設する。
【００１６】
次に本実施形態の作用について説明する。
ノズル１９から噴霧させるには、ストッパ９を左右どちらかの方向へ摺動させるか、あるいは係合板８から離脱させた後、レバー２０の力点部１６を押して前方へ変位させればよく、するとレバーは薄肉ヒンジ１４ａを支点として下方へ変位し、作用点部２１がノズル付きヘッド１２の上面に当接して押し下げるためノズルからの噴霧が可能となる。
【００１７】
なお、周壁２内面に形成したレバー案内用縦溝７は上面が閉塞され、かつレバー２０の上限位置において案内突部２３は縦溝７上面へ係合可能であるため、通常の使用状態においてレバー２０が周壁２から上方へ抜け出すことがない。
また、ストッパ９を係合板８へ取り付けた状態では、変位阻止板２２がストッパ９上面へ係合しているため、レバーを前方へ変位させて噴出させることはできない。
【００１８】
さらに、ノズル付き押下げヘッド１２は、蓋体１５を垂下壁１４へ薄肉ヒンジ１５ａを介して連結しているため、蓋体１５を垂下壁１４から離脱させて開けることで内部を洗浄可能である。洗浄する場合には図４に示すように、薄肉ヒンジ１４ａを中心としてレバー２０を前方へ強制回動させることにより案内突部２３を縦溝７上面から上方へ離脱させて周壁２上面を開放した後、ノズル付き押下げヘッド１２をステム１８から取り外せばよい。
【００１９】
なお、上記ではノズル１９を前方へ突出させているが、これに限らず図５及び図６に示すようにノズル１９を後方へ突出させることも可能である。この場合には係合板８、ストッパ９および変位阻止板２２を省略すると共に、力点部１６よりも上方のレバー部分に上下方向の長孔２４を穿設しておき、ノズル１９をレバー変位用窓口５を介して長孔２４へ摺動自在に挿通させる。この変形例ではレバー２０はトリガーとして使用する。すなわちトリガーのようにレバーを手前に引くことによりノズルから噴出させる。
【００２０】
また、レバー案内用の凹凸の係合手段として上記では周壁２の内面に縦溝７を設けているが、縦溝の代わりに突条を縦設し、かつレバー２０の案内突部２３の代わりに切欠状の溝を形成し、この溝を突条へ上下動自在に嵌合させることによっても同一の作用効果を奏することが可能である。この場合にはレバー抜け出し防止用の手段として、突条の上端部から弾性変形自在な突部を突設してレバー上面へ係合可能に設ける。
【００２１】
さらに、上記では本発明を２連式のエアゾール缶に適用した例を示しているが、これに限らず周壁２を円形状に形成して単一のエアゾール缶に適用することも可能である。
【００２２】
【発明の効果】
本発明は、てこの原理を利用してノズル付き押下げヘッドを押下げ可能に設けたので、特に２連式のエアゾール缶の押下げヘッドの押下げ操作を軽くすることができる。
【００２３】
また、本発明は、ストッパを設けたので、誤操作等による噴出防止が図れる。さらに、本発明は、レバー案内用の係合手段を設けると共に、レバー側面部へ係合する係合部を設けたので、レバー操作が円滑になると共に、通常の使用状態においてレバーの抜け出しを防止することができる。
【００２４】
さらに、本発明は、ノズルをレバー変位用窓口方向から突出させたので、レバーをトリガーとして使用することにより頭部等に直接吐出する際の操作が容易になる。
【図面の簡単な説明】
【図１】本発明に係るエアゾール缶スパウトの縦断面図。
【図２】同じく、図１を後方から見た斜視図。
【図３】同じく、図１を前方から見た斜視図。
【図４】同じく、図１を後方から見た分解斜視図。
【図５】同じく、変形例を示す図１相当図。
【図６】同じく、図５の斜視図。
【図７】従来例の半断面図。
【符号の説明】
２  周壁
３  エアゾール缶
５  レバー変位用窓口
９  ストッパ
１２  ノズル付き押下げヘッド
１６  力点部
１８  ステム
１９  ノズル
２０  レバー
２１  作用点部
２４  長孔
【図１】
0004011302.tif 000002
【図２】
0004011302.tif 000003
【図３】
0004011302.tif 000004
【図４】
0004011302.tif 000005
【図５】
0004011302.tif 000006
【図６】
0004011302.tif 000007
【図７】
0004011302.tif 000008